(57)【要約】【課題】組立作業性を向上させることができるエレベータかごを得る。【解決手段】エレベータかご１は、下梁２１と、この下梁２１の両端部に立設された一対の立枠２３，２４と、この一対の立枠２３，２４の上端部同士の間に横架された上梁２２とを備えたかご枠１１を具備する。立枠２３，２４は、この立枠２３，２４を長手方向に分割した複数の部材３１，３２から成るとともに、この複数の部材３１，３２が互いに連結固定されて形成されている。【選択図】      図２
2009057198.tif 000002
【特許請求の範囲】
【請求項１】
下梁と、この下梁の両端部に立設された一対の立枠と、この一対の立枠の上端部同士の間に横架された上梁とを備えたかご枠を具備し、
上記立枠は、該立枠を長手方向に分割した複数の部材から成るとともに、この複数の部材が互いに連結固定されて形成されていることを特徴とするエレベータかご。
【請求項２】
請求項１の記載において、
上記複数の部材は、上記下梁に連結された第１の部材と、上記上梁に連結された第２の部材とを含むとともに、該エレベータかごの組立時に、上記第１の部材は上記下梁に連結された状態で昇降路内へ搬入可能であり、上記第２の部材は上記上梁に連結された状態で上記昇降路内へ搬入可能であることを特徴とするエレベータかご。
【請求項３】
請求項２の記載において、
上記第１の部材は、上記下梁に対して折り畳めるように上記下梁に回動可能に連結され、上記第２の部材は、上記上梁に対して折り畳めるように上記上梁に回動可能に連結されることを特徴とするエレベータかご。
【請求項４】
請求項１の記載において、
上記立枠は、上記複数の部材の間の連結固定が解除されているとき、上記複数の部材の一部が該立枠の長手方向に沿ってスライドすることで伸縮可能であることを特徴とするエレベータかご。
【請求項５】
請求項４の記載において、
上記複数の部材は、上記下梁に連結された第１の部材と、上記上梁に連結された第２の部材とを含むとともに、上記第１の部材が上記下梁に連結され、且つ、上記第２の部材が上記上梁に連結された状態で上記第２の部材が上記第１の部材に対してスライド可能であることを特徴とするエレベータかご。
【請求項６】
請求項３または請求項５の記載において、
上記かご枠内に配置されたかご室と、
上記下梁に取り付けられたかご床部材と、を備え、
上記かご室は、該かご室の天井となる天井部材と、この天井部材と上記かご床部材との間に設けられた側板とを有し、この側板は、該側板を鉛直方向に分割した複数の部材から成ることを特徴とするエレベータかご。
【請求項７】
下梁と、この下梁の両端部に立設される一対の立枠と、この一対の立枠の上端部同士の間に横架される上梁とを有するかご枠を備えたエレベータかごの組立方法であって、
上記立枠を長手方向に分割した複数の部材を準備し、
上記立枠を組み立てる前に上記複数の部材を昇降路内に搬入し、
上記昇降路内で上記複数の部材を互いに連結固定して上記立枠を形成することを特徴とするエレベータかごの組立方法。
【請求項８】
請求項７の記載において、
上記複数の部材は、上記下梁に連結される第１の部材と、上記上梁に連結される第２の部材とを含み、
上記第１の部材は、上記昇降路の外部で上記下梁に連結された後、上記下梁に連結された状態で上記昇降路内へ搬入され、
上記第２の部材は、上記昇降路の外部で上記上梁に連結された後、上記上梁に連結された状態で上記昇降路内へ搬入されることを特徴とするエレベータかごの組立方法。
【請求項９】
請求項８の記載において、
上記第１の部材は、上記下梁に回動可能に連結され、上記下梁に対して折り畳まれた状態で上記昇降路内へ搬入され、
上記第２の部材は、上記上梁に回動可能に連結され、上記上梁に対して折り畳まれた状態で上記昇降路内へ搬入されることを特徴とするエレベータかごの組立方法。
【請求項１０】
請求項７の記載において、
上記立枠は、上記複数の部材の間の連結固定が解除されているとき、上記複数の部材の一部が該立枠の長手方向に沿ってスライドすることで伸縮可能であり、この立枠は、組立後の長さよりも縮められた状態で上記下梁および上記上梁に連結されることを特徴とするエレベータかごの組立方法。
【請求項１１】
請求項１０の記載において、
上記複数の部材は、上記下梁に連結される第１の部材と、上記上梁に連結される第２の部材とを含み、上記第２の部材は上記第１の部材に対してスライド可能であり、
上記第１の部材を上記下梁に連結し、且つ、上記第２の部材を上記上梁に連結した後、上記上梁を持ち上げて上記第２の部材を上記第１の部材に対してスライドさせて上記立枠を伸ばすことを特徴とするエレベータかごの組立方法。
【請求項１２】
請求項９または請求項１１の記載において、
エレベータのリニューアル工程における新設エレベータかごの組み立てにおいて用いられることを特徴とするエレベータかごの組立方法。
【請求項１３】
請求項９または請求項１１の記載において、
上記エレベータかごは、上記かご枠内に配置されるかご室と、上記下梁に取り付けられるかご床部材とを備え、
上記かご室は、該かご室の天井となる天井部材と、この天井部材と上記かご床部材との間に設けられる側板とを有し、この側板は、該側板を鉛直方向に分割した複数の部材から成り、
上記上梁が固定される第１の固定部と、上記天井部材に取り付けられた連結用具が固定される第２の固定部とを備えた揚重治具によって上記上梁と上記天井部材とを一体に揚重するとともに、上記天井部材を組立後の高さよりも低い高さに揚重した状態で上記側板の複数の部材のなかの一つを上記天井部材に連結することを特徴とするエレベータかごの組立方法。
【請求項１４】
枠状に形成されたかご枠と、このかご枠内に配置されたかご室とを具備するエレベータかごの組み立てに用いられる揚重治具であって、
上記かご枠は、下梁と、この下梁の両端部に立設される一対の立枠と、この一対の立枠の上端部同士の間に横架される上梁とを備え、上記立枠は、該立枠を長手方向に分割した複数の部材から成るとともに、この複数の部材が互いに連結固定されて形成され、
上記かご室は、該かご室の天井となる天井部材を有し、
この揚重治具は、上記上梁が固定される第１の固定部と、上記天井部材に取り付けられた連結用具が固定される第２の固定部とを備えることを特徴とする揚重治具。
【発明の詳細な説明】
【技術分野】
【０００１】
本発明は、エレベータかごに係る技術に関する。
【背景技術】
【０００２】
エレベータかごは、下梁、上梁、および一対の立枠が枠状に組み立てられたかご枠と、このかご枠内に配置されたかご室とを備える。各立枠は、下梁と上梁との間に亘る一つの長尺部材で形成されている。このエレベータかごは、昇降路内のピットに、下梁、立枠、かご床部材、上梁、側板等のかご室用部材、かご上シーブの順序で各部材を順次取り入れて、昇降路内で組み立てられる。
【０００３】
特許文献１には、乗りかごの組み立てを容易に行うことができる乗りかご据付装置が開示されている。この据付装置は、高さ寸法が調整可能な脚部構成と、この脚部構成によって支持された作業床部材と、この作業床部材の上に固定されるとともに所定の高さ寸法を有する一対の受け部材とを有する。乗りかごの下梁と立枠との連結作業は、乗りかごの下梁を上記受け部材に載置した状態で行う。この据付装置によれば、作業員が床部に伏せるような無理な姿勢をとらずに楽な姿勢で作業を行うことができる。
【特許文献１】特開平１１−２４６１４８号公報
【発明の開示】
【発明が解決しようとする課題】
【０００４】
現状のエレベータかごの組立作業においては、作業者は、昇降路内ピット、エレベータ乗り口、かご室内、およびかご上などの各所に位置して作業することが必要になる。そのため、作業者は必要に応じて各作業位置へ適宜移動しなければならない。この移動は、昇降路内ピットと昇降路出入口の出入り、および昇降路内ピットとかご上に乗り込み可能な階との間の上り下りなどを伴うため、作業者の負担が小さくない。上記特許文献に記載の据付装置を用いてもこの移動は必要である。
【０００５】
本発明の目的は、組立作業性を向上させることができるエレベータかご、エレベータかごの組立方法、および揚重治具を提供することにある。
【課題を解決するための手段】
【０００６】
本発明の一つの形態に係るエレベータかごは、下梁と、この下梁の両端部に立設された一対の立枠と、この一対の立枠の上端部同士の間に横架された上梁とを備えたかご枠を具備する。上記立枠は、該立枠を長手方向に分割した複数の部材から成るとともに、この複数の部材が互いに連結固定されて形成されている。
【０００７】
このエレベータかごの一つの形態によれば、上記複数の部材は、上記下梁に連結された第１の部材と、上記上梁に連結された第２の部材とを含むとともに、該エレベータかごの組立時に、上記第１の部材は上記下梁に連結された状態で昇降路内へ搬入可能であり、上記第２の部材は上記上梁に連結された状態で上記昇降路内へ搬入可能である。上記第１の部材は、上記下梁に対して折り畳めるように上記下梁に回動可能に連結され、上記第２の部材は、上記上梁に対して折り畳めるように上記上梁に回動可能に連結される。
【０００８】
このエレベータかごの別の形態によれば、上記立枠は、上記複数の部材の間の連結固定が解除されているとき、上記複数の部材の一部が該立枠の長手方向に沿ってスライドすることで伸縮可能である。上記複数の部材は、上記下梁に連結された第１の部材と、上記上梁に連結された第２の部材とを含むとともに、上記第１の部材が上記下梁に連結され、且つ、上記第２の部材が上記上梁に連結された状態で上記第２の部材が上記第１の部材に対してスライド可能である。
【０００９】
このエレベータかごの一つの形態によれば、上記かご枠内に配置されたかご室と、上記下梁に取り付けられたかご床部材とを備える。上記かご室は、該かご室の天井となる天井部材と、この天井部材と上記かご床部材との間に設けられた側板とを有し、この側板は、該側板を鉛直方向に分割した複数の部材から成る。
【００１０】
本発明の一つの形態に係るエレベータかごの組立方法は、下梁と、この下梁の両端部に立設される一対の立枠と、この一対の立枠の上端部同士の間に横架される上梁とを有するかご枠を備えたエレベータかごの組立方法であって、上記立枠を長手方向に分割した複数の部材を準備し、上記立枠を組み立てる前に上記複数の部材を昇降路内に搬入し、上記昇降路内で上記複数の部材を互いに連結固定して上記立枠を形成する。
【００１１】
このエレベータかごの組立方法の一つの形態によれば、上記複数の部材は、上記下梁に連結される第１の部材と、上記上梁に連結される第２の部材とを含み、上記第１の部材は、上記昇降路の外部で上記下梁に連結された後、上記下梁に連結された状態で上記昇降路内へ搬入され、上記第２の部材は、上記昇降路の外部で上記上梁に連結された後、上記上梁に連結された状態で上記昇降路内へ搬入される。上記第１の部材は、上記下梁に回動可能に連結され、上記下梁に対して折り畳まれた状態で上記昇降路内へ搬入され、上記第２の部材は、上記上梁に回動可能に連結され、上記上梁に対して折り畳まれた状態で上記昇降路内へ搬入される。
【００１２】
このエレベータかごの組立方法の別の形態によれば、上記立枠は、上記複数の部材の間の連結固定が解除されているとき、上記複数の部材の一部が該立枠の長手方向に沿ってスライドすることで伸縮可能であり、この立枠は、組立後の長さよりも縮められた状態で上記下梁および上記上梁に連結される。上記複数の部材は、上記下梁に連結される第１の部材と、上記上梁に連結される第２の部材とを含み、上記第２の部材は上記第１の部材に対してスライド可能であり、上記第１の部材を上記下梁に連結し、且つ、上記第２の部材を上記上梁に連結した後、上記上梁を持ち上げて上記第２の部材を上記第１の部材に対してスライドさせて上記立枠を伸ばす。
【００１３】
このエレベータかごの組立方法の一つの形態によれば、エレベータのリニューアル工程における新設エレベータかごの組み立てにおいて用いられる。
【００１４】
このエレベータかごの組立方法の一つの形態によれば、上記エレベータかごは、上記かご枠内に配置されるかご室と、上記下梁に取り付けられるかご床部材とを備え、上記かご室は、該かご室の天井となる天井部材と、この天井部材と上記かご床部材との間に設けられる側板とを有し、この側板は、該側板を鉛直方向に分割した複数の部材から成り、上記上梁が固定される第１の固定部と、上記天井部材に取り付けられた連結用具が固定される第２の固定部とを備えた揚重治具によって上記上梁と上記天井部材とを一体に揚重するとともに、上記天井部材を組立後の高さよりも低い高さに揚重した状態で上記側板の複数の部材のなかの一つを上記天井部材に連結する。
【００１５】
本発明の一つの形態に係る揚重治具は、枠状に形成されたかご枠と、このかご枠内に配置されたかご室とを具備するエレベータかごの組み立てに用いられる揚重治具であって、上記かご枠は、下梁と、この下梁の両端部に立設される一対の立枠と、この一対の立枠の上端部同士の間に横架される上梁とを備え、上記立枠は、該立枠を長手方向に分割した複数の部材から成るとともに、この複数の部材が互いに連結固定されて形成され、上記かご室は、該かご室の天井となる天井部材を有し、この揚重治具は、上記上梁が固定される第１の固定部と、上記天井部材に取り付けられた連結用具が固定される第２の固定部とを備える。
【発明の効果】
【００１６】
本発明によれば、エレベータかごの組立作業性を向上させることができる。
【発明を実施するための最良の形態】
【００１７】
以下、本発明の実施の形態について、図１ないし図２２を参照して説明する。  
まず、本発明の第１の実施形態に係るエレベータかご１について、図１ないし図１２を参照して説明する。図１は、エレベータかご１が用いられるエレベータ２の全体を概略的に示す。図１に示すように、エレベータ２は、昇降路３内に鉛直方向に沿って設けられたガイドレール４と、各階に設けられた乗場５などを備えている。エレベータかご１は、ガイドレール４に案内されて昇降路３内を昇降動作する。各階の乗場５には、昇降路３内に開口する乗場出入口６と、この乗場出入口６を開閉する乗場ドア７とが設けられている。また、昇降路３の下部にはピット３ａが設けられている。
【００１８】
図２は、エレベータかご１の全体を概略的に示す。図１および図２に示すように、エレベータかご１は、例えば利用者を乗せて昇降路３内を移動する乗りかごであり、かご枠１１と、このかご枠１１内に配置されたかご室１２とを備える。
【００１９】
かご枠１１は、それぞれ鋼材である下梁２１、上梁２２、および一対の立枠２３，２４を有するとともに、これらが組み立てられて枠状に形成されている。詳しくは、下梁２１は、かご室１２の下方において水平方向に延びている。一対の立枠２３，２４は、下梁２１の両端部に立設されて、鉛直方向に延びている。上梁２２は、水平方向に延びるとともに上記一対の立枠２３，２４の上端部同士の間に横架されている。下梁２１には、かご室１２が載置されるかご床部材２６が取り付けられている。上梁２２には、メインロープが掛けられるかご上シーブ２８（図１参照）が設けられている。
【００２０】
次に、本実施形態に係る立枠２３，２４について詳しく説明する。  
図２および図３に示すように、立枠２３，２４は、この立枠２３，２４を長手方向に分割した複数の部材から成るとともに、この複数の部材が互いに連結固定されて形成されている。詳しく述べると、本実施形態に係る立枠２３，２４は、下梁２１に連結された第１の部材３１と、上梁２２に連結された第２の部材３２とを有する。なお立枠２３，２４は、例えば３つ以上の部材に分割されていてもよい。
【００２１】
図４および図５は、左方の立枠２３の第１の部材３１を示す。第１の部材３１は、長尺のＬ型鋼材３４、補強鋼板３５、連結鋼板３６、および回転支持鋼板３７を例えばそれぞれ複数備える。Ｌ型鋼材３４は、第１の部材３１の長手方向に沿って延びるとともに、第１の部材３１の主な部分を形成している。
【００２２】
下梁２１に対向するＬ型鋼材３４の第１の端部３４ａには、第１の固定穴４１が設けられている。この第１の固定穴４１には、Ｌ型鋼材３４を下梁２１に固定する締結具４２が取り付けられる。一方、第２の部材３２に対向するＬ型鋼材３４の第２の端部３４ｂには、第２の固定穴４３が設けられている。この第２の固定穴４３には、Ｌ型鋼材３４を連結鋼板３６に固定する締結具４２が取り付けられる。締結具４２の一例は、ボルト、バネ座金、平座金、およびナットから成る。なお締結具４２はこれに限られない。
【００２３】
補強鋼板３５は、複数のＬ型鋼材３４の間に亘って設けられている。補強鋼板３５は、Ｌ型鋼材３４のなかで固定穴４１，４３が設けられていない面に溶接固定され、複数のＬ型鋼材３４を互いに連結している。連結鋼板３６は、第１の部材３１と第２の部材３２との間に亘って設けられ、締結具４２と協働して第１の部材３１および第２の部材３２を互いに連結固定する。
【００２４】
回転支持鋼板３７は、Ｌ型鋼材３４の第１の端部３４ａに設けられている。回転支持鋼板３７は、下梁２１の側面に対向するとともに、固定用の第１の長穴４４が設けられている。この第１の長穴４４は、第１の部材３１が下梁２１に対して立て起こされているとき、水平方向に延びている。この第１の長穴４４には、Ｌ型鋼材３４を下梁２１に回動可能に連結する締結具４２が取り付けられる。
【００２５】
これにより、図８に示すように、第１の部材３１は、締結具４２を中心として、下梁２１に対して平行になる第１の状態と、下梁２１に対して垂直に立て起こされた第２の状態との間で回動可能である。すなわち、第１の部材３１は、下梁２１に対して折り畳むことができる。
【００２６】
次に図６を参照して、右方の立枠２４の第１の部材３１について説明する。なお以下、左方の立枠２３と同一または類似の機能を有する構成は、同一の符号を付してその説明を省略する。右方の立枠２４の第１の部材３１は、左方の立枠２３の第１の部材３１と同様に、Ｌ型鋼材３４、補強鋼板３５、連結鋼板３６、および回転支持鋼板４６を例えばそれぞれ複数備える。立枠２４の第１の部材３１は、立枠２３の第１の部材３１に比べて、長尺の回転支持鋼板４６を備える点で異なるものであり、他の構成は立枠２３の第１の部材３１と同じである。
【００２７】
詳しくは、立枠２４の第１の部材３１の回転支持鋼板４６には、固定用の第２の長穴４７が設けられている。この第２の長穴４７は、他方の第１の長穴４４に比べて長く形成されている。これにより、図７に示すように、一方の立枠２３の第１の部材３１と、他方の立枠２４の第１の部材３１とを互いに重ねて折り畳むことができる。
【００２８】
図３に示すように、左方の立枠２３の第２の部材３２は、第１の部材３１と同様に、Ｌ型鋼材３４、補強鋼板３５、および回転支持鋼板４６を備える。上梁２２に対向するＬ型鋼材３４の第１の端部３４ａには、第１の固定穴４１が設けられている。この第１の固定穴４１には、Ｌ型鋼材３４を上梁２２に固定する締結具４２が取り付けられる。一方、第１の部材３１に対向するＬ型鋼材３４の第２の端部３４ｂには、第２の固定穴４３が設けられている。この第２の固定穴４３には、第１の部材３１に連結された連結鋼板３６に第２の部材３２を固定する締結具４２が取り付けられる。
【００２９】
回転支持鋼板４６は、上梁２２の側面に対向するとともに、固定用の第２の長穴４７が設けられている。この第２の長穴４７は、第１の部材３１が上梁２２に対して立て起こされているとき、水平方向に延びている。この第２の長穴４７には、Ｌ型鋼材３４を上梁２２に回動可能に連結する締結具４２が取り付けられる。
【００３０】
これにより、第２の部材３２は、締結具４２を中心として、上梁２２に対して平行になる第１の状態と、上梁２２に対して垂直に立て起こされた第２の状態との間で回動可能である。すなわち、第２の部材３２は、上梁２２に対して折り畳むことができる。
【００３１】
一方、右方の立枠２４の第２の部材３２は、Ｌ型鋼材３４、補強鋼板３５、および回転支持鋼板３７を例えばそれぞれ複数備える。立枠２４の第２の部材３２は、立枠２３の第２の部材３２に比べて、第１の長穴４４が設けられた短尺の回転支持鋼板３７を備える。これにより、一方の立枠２３の第２の部材３２と、他方の立枠２４の第２の部材３２とを互いに重ねて折り畳むことができる。
【００３２】
エレベータかご１の組立時に、立枠２３，２４の第１の部材３１は、下梁２１に連結された状態で昇降路３内に搬入可能である。立枠２３，２４の第２の部材３２は、上梁２２に連結された状態で昇降路３内に搬入可能である。
【００３３】
次に、上記の構成を有するエレベータかご１の組立方法について説明する。  
エレベータかご１の組み立て手順の一例を図１１に示す。図１１および図７に示すように、まず昇降路３のスラブ下５１に設置された天井フック５２に揚重機５３を取り付ける。その後、かご枠１１の組み立てが行われる。
【００３４】
かご枠１１の組み立ては、立枠２３，２４を長手方向に分割した複数の部材を準備し、立枠２３，２４を組み立てる前に上記複数の部材を昇降路３内に搬入し、昇降路３内で上記複数の部材を互いに連結固定して立枠２３，２４を形成することで行われる。
【００３５】
詳しくは、昇降路３の外部で、一対の立枠２３，２４の第１の部材３１を、締結具４２を長穴４４，４７に取り付けて下梁２１に対して連結する。そして、一対の立枠２３，２４の第１の部材３１を、互いに重ねて折り畳んだ状態に収める。図７に示すように、第１の部材３１が連結された下梁２１は、最下階乗場５ａにおいて玉掛けワイヤー５４が取り付けられ、揚重機５３によって昇降路３内に取り込まれる。すなわち第１の部材３１は、下梁２１に連結されるとともに、下梁２１に対して折り畳まれた状態で、下梁２１に伴って昇降路３内に搬入される。
【００３６】
下梁２１を昇降路３内に取り込んだ後、下梁２１をガイドレール４に対して嵌め込む。この時、下梁２１を下方から支える長尺の鋼材５５を昇降路最下床面５６に設けておくことで、下梁２１と昇降路最下床面５６との間にかご組立作業を行うための空間を確保する（図１０参照）。鋼材５５の一例は、長尺の単管である。
【００３７】
下梁２１を昇降路３内に取り込んだ後、図８に示すように、第１の部材３１を下梁２１に対して垂直方向に立て起こす。第１の部材３１を立て起こした後、締結具４２を第１の固定穴４１に取り付けて、第１の部材３１を下梁２１に対して固定する。その後、かご室１２の床部を構成するかご床部材２６を下梁２１に取り付ける。
【００３８】
かご床部材２６を取り付けた後、またはかご床部材２６を取り付けた前に、昇降路３の外部で、一対の立枠２３，２４の第２の部材３２を、締結具４２を長穴４４，４７に取り付けて上梁２２に対して連結する。そして、一対の立枠２３，２４の第２の部材３２を互いに重ねて折り畳んだ状態に収める。第２の部材３２が連結された上梁２２は、揚重機５３によって昇降路３内に取り込まれる。すなわち第２の部材３２は、上梁２２に連結されるとともに、上梁２２に対して折り畳まれた状態で、上梁２２に伴って昇降路３内に搬入される。
【００３９】
上梁２２を昇降路３内に取り込んだ後、上梁２２をガイドレール４に対して嵌め込む。その後、図９に示すように、第２の部材３２を上梁２２に対して垂直方向に立て起こす。第２の部材３２を立て起こした後、締結具４２を第１の固定穴４１に取り付けて、第２の部材３２を上梁２２に対して固定する。
【００４０】
第２の部材３２を立て起こした後、連結鋼板３６および締結具４２によって、第２の部材３２の第２の端部３４ｂと第１の部材３１の第２の端部３４ｂとを互いに連結固定する。これにより、立枠２３，２４が形成される。その後、かご枠１１の芯出し、およびかご廻り機器の取り付けなどを経てエレベータ２のかご枠１１が組み上がる。
【００４１】
かご枠１１が組み上がると、図１１に示すように、かご室１２の組み立てが行われ、その後、かご上シーブ２８の取り付け等種々の工程を経て、エレベータかご１が組み上がる。
【００４２】
このような構成によれば、エレベータかご１の組立作業性を向上させることができる。すなわち、立枠２３，２４がその立枠２３，２４を長手方向に分割した複数の部材から成るとともに、この複数の部材が互いに連結固定されて形成されると、長尺の立枠２３，２４を組み立てる前に上記複数の部材を個々に昇降路３内に搬入し、昇降路３内で複数の部材を互いに連結固定して立枠２３，２４を形成することができる。
【００４３】
つまり、立枠２３，２４を組み立てる前に上記複数の部材を下梁２１または上梁２２に連結することが可能であり、長尺な立枠２３，２４の長さにとらわれることなく、立枠２３，２４と下梁２１との間の固定作業、および立枠２３，２４と上梁２２との間の固定作業を行うことができる。これにより、作業箇所間の移動回数や、例えば脚立のような用具を使用する作業量を低減することができ、エレベータかご１の組立作業性が向上する。またこのような構成によれば、作業効率の向上に加えて、脚立などを用いた危険性を有する据付作業の発生も低減することができ、エレベータかご１の組立作業の安全性が向上する。
【００４４】
第１の部材３１が下梁２１に連結された状態で昇降路３内へ搬入可能であり、第２の部材３２が上梁２２に連結された状態で昇降路３内へ搬入可能であると、第１の部材３１を下梁２１に連結する作業、および第２の部材３２を上梁２２に連結する作業を昇降路３の外部で行うことができる。昇降路３の内部は、作業スペースが大きく制限されているため、比較的作業スペースに余裕のある昇降路３の外部で作業を行うことができると、組立作業性が向上する。
【００４５】
さらに立枠２３，２４に係る部材３１，３２が下梁２１および上梁２２に伴って昇降路３内に搬入されるため、立枠２３，２４に係る部材３１，３２を昇降路３内に別途搬入する手間が必要ない。したがって、エレベータかご１の組立作業性が向上する。
【００４６】
第１の部材３１が下梁２１に対して折り畳めるように下梁２１に回動可能に連結され、第２の部材３２が上梁２２に対して折り畳めるように上梁２２に回動可能に連結されると、第１の部材３１を下梁２１に対して折り畳んだ状態で昇降路３内に搬入することができ、第２の部材３２を上梁２２に対して折り畳んだ状態で昇降路３内に搬入することができる。これにより、容易に立枠２３，２４に係る部材３１，３２を下梁２１および上梁２２に伴って昇降路３内に搬入することができ、エレベータかご１の組立作業性が向上する。
【００４７】
例えば本実施形態においては、昇降路３内で第１の部材３１を第１の固定穴４１および締結具４２により下梁２１に固定する作業、および第２の部材３２を第２の固定穴４３および締結具４２により上梁２２に固定する作業が必要となるが、第１および第２の部材３１，３２が昇降路３の外部で予め下梁２１または上梁２２に連結されていると、全体としてエレベータかご１の組立作業性が向上する。
【００４８】
なお以上、本発明を新設エレベータにおけるエレベータかご１に適用した実施形態について説明したが、本実施形態はエレベータのリニューアル工程における交換後の新設エレベータかご１の組み立てにおいて用いることもできる。
【００４９】
図１２は、本実施形態をエレベータのリニューアル工程に用いたエレベータかご１の組み立て手順の一例を示す。なお図１２中の「新設かご組み立て手順」は、図１１で示す手順と同じである。リニューアル工程におけるエレベータかご１に本実施形態を適用することで、リニューアル工程においてもエレベータかご１の組立作業性を向上させることができる。
【００５０】
次に、本発明の第２の実施形態に係るエレベータかご１、およびその組立方法について、図１３ないし図１７を参照して説明する。なお第１の実施形態に係るエレベータかごと同一または類似の機能を有する構成は、同一の符号を付してその説明を省略する。この第２の実施形態は、上記第１の実施形態に対して立枠２３，２４の構造が異なるものであり、エレベータかごの基本的な構成は上記第１の実施形態と同じである。
【００５１】
立枠２３，２４は、この立枠２３，２４を長手方向に分割した複数の部材から成るとともに、この複数の部材が互いに連結固定されて形成されている。本実施形態に係る立枠２３，２４は、その長手方向に伸縮構造を有する。立枠２３，２４は、上記複数の部材の間の連結固定が解除されているとき、上記複数の部材の一部が立枠２３，２４の長手方向に沿ってスライドすることで伸縮可能である。
【００５２】
図１３ないし図１６に示すように、本実施形態に係る立枠２３，２４は、下梁２１に連結された第１の部材６１と、上梁２２に連結された第２の部材６２とを有する。なお立枠２３，２４は、例えば３つ以上の部材に分割されていてもよい。
【００５３】
図１３および図１４に示すように、第１の部材６１は、例えばアーチ形の鋼材を加工したもので形成されている。下梁２１に対向する第１の部材６１の第１の端部６１ａには、第１の固定穴４１が設けられている。この第１の固定穴４１には、第１の部材６１を下梁２１に固定する締結具４２が取り付けられる。第２の部材６２に対向する第１の部材６１の第２の端部６１ｂには、第２の固定穴４３が設けられている。この第２の固定穴４３には、第２の部材６２を第１の部材６１に固定する締結具４２が取り付けられる。
【００５４】
第２の部材６２は、第１の部材６１とは幅方向が異なる寸法で加工されている。第２の部材６２は、狭幅な形状に形成されるとともに、広幅な形状に形成された第１の部材６１の内側に収容されている。上梁２２に対向する第２の部材６２の第１の端部６２ａには、第１の固定穴４１が設けられている。この第１の固定穴４１には、第２の部材６２を上梁２２に固定するための締結具４２が取り付けられる。
【００５５】
第２の部材６２は、立枠２３，２４の長手方向に沿って第１の部材６１に対してスライド可能である。さらに言えば、第１の部材６１が下梁２１に連結され、且つ、第２の部材６２が上梁２２に連結された状態で、第２の部材６２は第１の部材６１に対してスライド可能である。
【００５６】
詳しくは、立枠２３，２４は、例えば第１の部材６１の半分以上が第２の部材６２に重なるとともに、組立後の長さよりも縮められた短縮状態（図１５参照）と、第１の部材６１の第２の端部６１ｂのみが第２の部材６２に重なる伸長状態（図１６参照）との間で伸縮可能である。
【００５７】
第２の部材６２には、立枠２３，２４が伸長状態にあるときに、第１の部材６１の第２の固定穴４３に対向する第２の固定穴４３が設けられている。立枠２３，２４が伸長状態にあるときに、締結具４２を第１および第２の部材６１，６２の第２の固定穴４３に取り付けることで、第１および第２の部材６１，６２が互いに固定され、立枠２３，２４が伸長状態に保持される。一方、第１の部材６１には、第３の固定穴６４が設けられている。立枠２３，２４が短縮状態にあるときに、締結具４２を第３の固定穴６４に取り付けることで、立枠２３，２４が短縮状態に保持される。
【００５８】
次に、上記の構成を有するエレベータかご１の組立方法について説明する。  
エレベータかご１の組み立て手順の一例を図１７に示す。図１７に示すように、まず昇降路３のスラブ下５１に設置された天井フック５２に揚重機５３を取り付ける。その後、かご枠１１の組み立てが行われる。
【００５９】
かご枠１１の組み立ては、立枠２３，２４を長手方向に分割した複数の部材を準備し、立枠２３，２４を組み立てる前に上記複数の部材を昇降路３内に搬入し、昇降路３内で上記複数の部材を互いに連結固定して立枠２３，２４を形成することで行われる。
【００６０】
詳しくは、まず下梁２１を昇降路３内に取り込み、下梁２１をガイドレール４に対して嵌め込む。この時、下梁２１を下方から支える長尺の鋼材５５を昇降路最下床面５６に設けておく。
【００６１】
立枠２３，２４は、昇降路３の外部において第１および第２の部材６１，６２を互いに一体に組み合わせた後、上記短縮状態に保持された状態で、昇降路３内に搬入される。立枠２３，２４を昇降路３内に取り入れた後、上記短縮状態に保持したまま、立枠２３，２４を下梁２１に固定する。その後、かご室１２の床部を構成するかご床部材２６を下梁２１に取り付ける。
【００６２】
次に、上梁２２を昇降路３内に取り込み、上梁２２をガイドレール４に対して嵌め込む。上梁２２を昇降路３に取り込んだ後、図１５に示すように、短縮状態に保持された立枠２３，２４の高さに上梁２２を合わせ、立枠２３，２４を上梁２２に固定する。
【００６３】
立枠２３，２４を上梁２２に固定した後、第３の固定穴６４から締結具４２を取り外し、立枠２３，２４の短縮状態の固定を解除する。図１６に示すように、固定を解除した後、上梁２２を例えば玉掛けワイヤー５４などで揚重機５３により持ち上げることで、第２の部材６２が第１の部材６１に対してスライドし、立枠２３，２４が伸長状態まで伸ばされる。
【００６４】
立枠２３，２４を伸長状態にした後、第２の固定穴４３に締結具４２を取り付け、立枠２３，２４を伸長状態に保持する。その後、かご枠１１の芯出し、およびかご廻り機器の取り付けなどを経てエレベータ２のかご枠１１が組み上がる。かご枠１１が組み上がると、図１７に示すように、かご室１２の組み立てが行われ、その後かご上シーブ２８の取り付け等種々の工程を経て、エレベータかご１が組み上がる。
【００６５】
このような構成によれば、第１の実施形態と同様に、エレベータかごの組立作業性を向上させることができる。すなわち、立枠２３，２４を組み立てる前に上記複数の部材を下梁２１または上梁２２に連結することが可能であると、立枠２３，２４の長さにとらわれることなく、立枠２３，２４と下梁２１との間の固定作業、および立枠２３，２４と上梁２２との間の固定作業を行うことができる。これにより、作業箇所間の移動回数や、例えば脚立のような用具を使用する作業量を低減することができ、エレベータかご１の組立作業性が向上する。
【００６６】
上記複数の部材の一部が立枠２３，２４の長手方向に沿ってスライドすることで立枠２３，２４が伸縮可能であると、立枠２３，２４を短縮状態にした状態で立枠２３，２４を上梁２２に固定することができる。すなわち立枠２３，２４と上梁２２の固定作業を作業者の手の届く範囲で行うことができる。これにより、作業箇所間の移動回数や、例えば脚立のような用具を使用する作業量を低減することができ、エレベータかご１の組立作業性が向上する。
【００６７】
立枠２３，２４が下梁２１に連結された第１の部材６１と、上梁２２に連結された第２の部材６２とを含むとともに、第１の部材６１が下梁２１に連結され、且つ、第２の部材６２が上梁２２に連結された状態で第２の部材６２が第１の部材６１に対してスライド可能であると、揚重機５３で上梁２２を持ち上げることで、立枠２３，２４を伸ばすことができる。すなわち立枠２３，２４を伸ばすための特別な工程が必要ない。これにより、エレベータかご１の組立作業性を向上させることができる。
【００６８】
なお以上、本発明を新設エレベータにおけるエレベータかご１に適用した実施形態について説明したが、本実施形態はエレベータのリニューアル工程における交換後の新設エレベータかご１の組み立てにおいて用いることもできる。その場合、図１２中の「新設かご組み立て手順」が図１７で示す手順と同じになる。リニューアル工程におけるエレベータかご１に本実施形態を適用することで、リニューアル工程においてもエレベータかご１の組立作業性を向上させることができる。
【００６９】
次に、本発明の第３の実施形態に係るエレベータかご１、およびその組立方法について、図１８および図１９を参照して説明する。なお第１および第２の実施形態に係るエレベータかごと同一または類似の機能を有する構成は、同一の符号を付してその説明を省略する。この第３の実施形態は、上記第１および第２の実施形態に係る組立方法に対して上梁２２を揚重する治具を用いる点で異なり、エレベータかご１の構成および基本的な組立方法は上記第１および第２の実施形態と同じである。
【００７０】
すなわち、本実施形態に係る揚重治具は、上記第１の実施形態に係るエレベータかご１の組み立て、および上記第２の実施形態に係るエレベータかご１の組み立てのいずれにおいても使用可能なものである。
【００７１】
エレベータかご１のかご室１２は、このかご室１２の天井となる天井部材７１を備える。図１８は、エレベータかご１の組み立てに用いられる揚重治具７２を示す。揚重治具７２は、上梁２２の長手方向に沿って延びる第１の鋼材７４を有する。第１の鋼材７４の一例は、角型鋼管材である。第１の鋼材７４は、かご室１２の天井の一辺とほぼ同じ長さを有する。
【００７２】
この第１の鋼材７４の両端からは、第１の鋼材７４の延伸方向に対して直交して延びる一対の第２の鋼材７５，７６が設けられている。第２の鋼材７５，７６の一例は、幅狭長尺のＬ型鋼材である。第２の鋼材７５，７６は、かご室１２の他の一辺とほぼ同じ長さを有する。すなわち天井部材７１の四隅には、一対の第２の鋼材７５，７６のいずれかの端部が対向する。
【００７３】
図１８および図１９に示すように、第２の鋼材７５，７６の中央部には、上梁２２を固定する締結具が取り付けられる第１の固定部７７が設けられている。さらに天井部材７１の四隅に対向する第２の鋼材７５，７６の端部には、それぞれ天井部材７１の吊元部に取り付けられた連結用具７８が固定される第２の固定部７９が設けられている。連結用具７８の一例は、玉掛けワイヤーである。
【００７４】
次に、この揚重治具７２を用いたエレベータかご１の組立方法について説明する。  
エレベータかご１の基本的な組立方法は、上記第１および第２の実施形態と同じである。この揚重治具７２を用いる場合、上梁２２を揚重する時に、同時に天井部材７１も一体に揚重する点で異なる。すなわち、締結具を用いて上梁２２を揚重治具７２の第１の固定部７７に固定するとともに、連結用具７８を用いて天井部材７１を第２の固定部７９に固定することで、上梁２２および天井部材７１を一体に揚重することができる。
【００７５】
このような構成によれば、上記第１および第２の実施形態と同様に、エレベータかご１の組立作業性を向上させることができる。さらに揚重治具７２を用いて上梁２２および天井部材７１を一体に揚重することで、上梁２２および天井部材７１を別々に揚重する場合に比べて作業工程が少なくなり、作業時間の短縮を図ることができる。
【００７６】
天井部材７１の四隅に一対の第２の鋼材７５，７６のいずれかの端部が対向するとともに、この端部に第２の固定部７９が設けられていると、天井部材７１の四隅が持ち上げられることになるので、揚重した時に天井部材７１が撓みにくい。
【００７７】
次に、本発明の第４の実施形態に係るエレベータかご１、およびその組立方法について、図２０を参照して説明する。なお第１ないし第３の実施形態に係るエレベータかごと同一または類似の機能を有する構成は、同一の符号を付してその説明を省略する。この第３の実施形態は、上記第１および第２の実施形態に係るエレベータかご１に対してかご室１２の構造をさらに限定したものであり、エレベータかご１の基本的な構成および組立方法は上記第１および第２の実施形態と同じである。
【００７８】
すなわち、本実施形態に係るかご室１２は、上記第１の実施形態に係るエレベータかご１、および上記第２の実施形態に係るエレベータかご１のいずれにも適用可能なものである。
【００７９】
本実施形態に係るかご室１２は、天井部材７１とかご床部材２６との間に設けられた側板８１を有する。この側板８１は、かご室１２の周壁を形成する部材である。この側板８１は、該側板８１を鉛直方向に分割した複数の側板パネル８２から成るとともに、この側板パネル８２が互いに連結固定されて形成されている。図２０に示すように、本実施形態に係る側板８１は、例えば３つの側板パネル８２に分割されている。
【００８０】
側板パネル８２の長辺部分は、例えばかご室１２の床の一辺と同じ長さに形成されている。側板パネル８２の短辺部分は、かご室１２の床から天井までの距離を適宜分割された長さで形成されている。
【００８１】
側板パネル８２の一対の長辺部分には、外側へ直角に折り曲げられた折曲部８３が設けられている。この折曲部８３には、例えば複数の固定穴８４が設けられている。側板パネル８２は、この固定穴８４に締結具４２が取り付けられることで、互いに固定される。
【００８２】
このような構成によれば、第１および第２の実施形態と同様に、組立性の向上を図ることができる。さらに天井部材７１とかご床部材２６との間に設けられた側板８１が、この側板８１を鉛直方向に分割した複数の部材８２から成ると、側板８１の組立作業を横方向の移動で行うことができる。すなわち、脚立などを使用しなければ手が届かない位置の側板パネル８２同士の連結作業（いわゆる縫い付け作業）を容易に行うことができる。これにより、エレベータかご１の組立性が向上するとともに、転倒などの危険性を低減させることができる。
【００８３】
次に、本発明の第５の実施形態に係るエレベータかご１、およびその組立方法について、図２１および図２２を参照して説明する。なお第１ないし第４の実施形態に係るエレベータかごと同一または類似の機能を有する構成は、同一の符号を付してその説明を省略する。この第５の実施形態は、上記第１および第２の実施形態に係るエレベータかご１に対してかご室１２の構造を上記第４の実施形態と同様に限定するとともに、上記第３の実施形態に係る揚重治具を用いたエレベータかご１の組立方法を提供するものであり、エレベータかご１の基本的な構成および組立方法は上記第１および第２の実施形態と同じである。
【００８４】
すなわち、本実施形態に係るかご室１２は、上記第１の実施形態に係るエレベータかご１、および上記第２の実施形態に係るエレベータかご１のいずれにも適用可能なものである。
【００８５】
本実施形態に係るかご室１２は、天井部材７１と、この天井部材７１とかご床部材２６との間に設けられた側板８１とを有し、この側板８１は、鉛直方向に分割した複数の側板パネル８２から成っている。揚重治具７２は、第１の固定部７７と第２の固定部７９とを有する。
【００８６】
本実施形態に係るエレベータかご１の組み立ては、第３の実施形態と同様に、揚重治具７２によって上梁２２と天井部材７１とを一体に揚重する。次に、かご床部材２６の上面周囲に設けられた幅木８６の上面に、天井部材７１に連結される側板パネル８２を仮置きする。
【００８７】
図２１に示すように、側板パネル８２を仮置きした後、天井部材７１をエレベータかご１の組立後の高さよりも低い高さ、例えば天井部材７１が幅木８６の上に仮置きされた側板パネル８２に接する高さに揚重する。この状態で、複数の側板パネル８２のなかの一つである最上部となる側板パネル８２を天井部材７１に固定される。
【００８８】
図２２に示すように、一つの側板パネル８２を天井部材７１に固定した後、天井部材７１を上方へ揚重し、残りの側板パネル８２を互いに順次連結固定していく。残りの側板パネル８２を組み立てた後、上方に揚重されている天井部材７１と一つの側板パネル８２を降下させ、下方で組み立てた側板パネル８２と連結固定する。これにより側板８１が組み上がる。
【００８９】
このような構成によれば、第１および第２の実施形態と同様に、エレベータかご１の組立性が向上する。さらに第３および第４の実施形態と同様に、エレベータかご１の組立性が向上する。
【００９０】
天井部材７１を組立後の高さよりも低い高さに揚重した状態で側板８１の複数の部材８２のなかの一つを天井部材７１に連結し、側板８１の複数の部材８２を互いに連結すると、側板８１と天井部材７１との連結を手の届く範囲の高さで行うことができる。すなわち作業者がかご上まで移動したり、または脚立を用いることなく側板８１と天井部材７１との固定作業を行うことができる。これにより、エレベータかご１の組立性が向上する。
【００９１】
以上、第１ないし第５の実施形態に係るエレベータかご１、およびエレベータかご１の組立方法について説明したが、本発明はこれらに限定されるものではない。例えば各実施形態に係る各構成要素は、適宜組み合わせて実施することができる。
【図面の簡単な説明】
【００９２】
【図１】本発明に係るエレベータの断面図。
【図２】本発明の第１の実施形態に係るエレベータかごの斜視図。
【図３】図２中に示されたエレベータかごの正面図。
【図４】図３中に示された一方の立枠の第１の部材の正面図。
【図５】図４中に示された第１の部材の側面図。
【図６】図３中に示された他方の立枠の第１の部材の正面図。
【図７】図３中に示された下梁を昇降路内に搬入する工程を示す断面図。
【図８】図３中に示された第１の部材を立て起こす工程を示す正面図。
【図９】図３中に示されたかご枠を組み立てる工程を示す正面図。
【図１０】図９中に示されたかご枠を示すエレベータの断面図。
【図１１】図３中に示されたエレベータかごの組立手順の一例を示すフローチャート。
【図１２】図３中に示されたエレベータかごを用いるリニューアル工程の手順の一例を示すフローチャート。
【図１３】本発明の第２の実施形態に係るエレベータかごの斜視図。
【図１４】図１３中に示された立枠の斜視図。
【図１５】図１３中に示された立枠の短縮状態を示す正面図。
【図１６】図１３中に示された立枠の伸長状態を示す正面図。
【図１７】図１３中に示されたエレベータかごの組立手順の一例を示すフローチャート。
【図１８】本発明の第３の実施形態に係る揚重治具の斜視図。
【図１９】図１８中に示された揚重治具を用いたエレベータかごの組立工程を示す正面図。
【図２０】本発明の第４の実施形態に係る側板の斜視図。
【図２１】本発明の第５の実施形態に係るエレベータかごの組立工程を示す側面図。
【図２２】図２１中に示されたエレベータかごの組立工程を示す側面図。
【符号の説明】
【００９３】
１…エレベータかご、１１…かご枠、１２…かご室、２１…下梁、２２…上梁、２３，２４…立枠、２６…かご床部材、３１，６１…第１の部材、３２，６２…第２の部材、７１…天井部材、７２…揚重治具、７７…第１の固定部、７９…第２の固定部、８１…側板、８２…側板パネル。
【図１】
2009057198.tif 000003
【図２】
2009057198.tif 000004
【図３】
2009057198.tif 000005
【図４】
2009057198.tif 000006
【図５】
2009057198.tif 000007
【図６】
2009057198.tif 000008
【図７】
2009057198.tif 000009
【図８】
2009057198.tif 000010
【図９】
2009057198.tif 000011
【図１０】
2009057198.tif 000012
【図１１】
2009057198.tif 000013
【図１２】
2009057198.tif 000014
【図１３】
2009057198.tif 000015
【図１４】
2009057198.tif 000016
【図１５】
2009057198.tif 000017
【図１６】
2009057198.tif 000018
【図１７】
2009057198.tif 000019
【図１８】
2009057198.tif 000020
【図１９】
2009057198.tif 000021
【図２０】
2009057198.tif 000022
【図２１】
2009057198.tif 000023
【図２２】
2009057198.tif 000024